(57)【要約】【課題】  部品を単純に付加するだけで、側板と裏板の間の隙間を目立たなくすることができ、それにより、外観を向上させることができる鍵盤楽器のスタンドを提供する。【解決手段】  上下方向に延びる左右の側板６，６と、左右の端面が左右の側板６，６の内側面にそれぞれ近接した状態で、左右の側板６，６間に取り付けられた裏板８と、側板６，６の内側面に、裏板８のすぐ後ろ側に位置して、上下方向に延びるように取り付けられ、側板６の内側面と裏板８の端面との間の隙間Ｃを覆う隙間覆い材１３と、を備えている。【選択図】  図３
2006139082.tif 000002
【特許請求の範囲】
【請求項１】
上下方向に延びる左右の側板と、
左右の端面が前記左右の側板の内側面にそれぞれ近接した状態で、当該左右の側板間に取り付けられた裏板と、
前記側板の内側面に、前記裏板のすぐ後ろ側に位置して、上下方向に延びるように取り付けられ、前記側板の内側面と前記裏板の端面との間の隙間を覆う隙間覆い材と、
を備えていることを特徴とする鍵盤楽器のスタンド。
【発明の詳細な説明】
【技術分野】
【０００１】
本発明は、楽器本体を支持する鍵盤楽器のスタンドに関する。
【背景技術】
【０００２】
従来のこの種の鍵盤楽器のスタンドとして、例えば特許文献１に開示されたものが知られている。図５に示すように、このスタンド５１は、左右の妻土台５２，５２にそれぞれ立設された左右の側板５３，５３（いずれも一方のみ図示）と、両側板５３，５３の後端部間に取り付けられた裏板５４と、両側板５３，５３の下端部間に取り付けられたペダル土台５５などで構成されている。裏板５４は、その左右の端面が側板５３，５３の内側面に当接するように、前方から通したねじによって、側板５３，５３に取り付けられている。また、裏板５４の下端部は、ペダル土台５５の背面にねじ止めされている。
【０００３】
以上のように、このスタンド５１では、裏板５４は、その端面が側板５３の内側面に本来的には当接するように取り付けられる。しかし、裏板５４の左右方向の寸法誤差や、裏板５４を側板５３に取り付ける際の取付誤差などによって、側板５３の内側面と裏板５４の端面との間に隙間が生じる場合がある。この場合、例えば、鍵盤楽器が黒塗り塗装されており、かつその後ろ側が、白色などの明るい壁であったり、明るい空間であったりしたときには、演奏者側から隙間が目立ってしまい、外観を損ねる。この不具合は、スタンド５１をユーザが組み立てるようになっている場合には、スタンド５１を組み立てる際に取付誤差が生じやすいため、より顕著になる。
【０００４】
このような隙間が生じないようにするために、例えば、図６に示すように、裏板５４を左右方向に延ばし、裏板５４の左右の端部を側板５３、５３（一方のみ図示）の背面に取り付けることが考えられる。しかし、その場合には、裏板５４の端部が側方から見えてしまうので、やはり外観を損ねる。また、図７に示すように、側板５３の内側面に溝５６を形成し、溝５６に裏板５４を嵌め込むことも考えられる。しかし、その場合には、側板５３に溝５６を形成する加工が必要になる。特に側板５３が塗装される場合には、塗装時に塗料が溝５６に入り込まないように、溝５６にテープをあらかじめ貼り付けるマスキング工程が必要になるなど、工数が増加するので、溝５６の加工と相まって、製造コストの大幅な増大の原因になる。
【０００５】
本発明は、上記の課題を解決するためになされたものであり、部品を単純に付加するだけで、側板と裏板の間の隙間を目立たなくすることができ、それにより、外観を向上させることができる鍵盤楽器のスタンドを提供することを目的とする。
【０００６】
【特許文献１】特開２０００−１４８１４６号公報
【発明の開示】
【課題を解決するための手段】
【０００７】
この目的を達成するために、請求項１に係る鍵盤楽器のスタンドは、上下方向に延びる左右の側板と、左右の端面が左右の側板の内側面にそれぞれ近接した状態で、左右の側板間に取り付けられた裏板と、側板の内側面に、裏板のすぐ後ろ側に位置して、上下方向に延びるように取り付けられ、側板の内側面と裏板の端面との間の隙間を覆う隙間覆い材と、を備えていることを特徴とする。
【０００８】
この鍵盤楽器のスタンドによれば、側板の内側面の裏板のすぐ後ろ側の位置に、隙間覆い材が、上下方向に延びるように取り付けられており、この隙間覆い材によって、側板の内側面と裏板の端面との間の隙間が覆われる。このため、裏板の寸法誤差や取付誤差によって、上記のような隙間が生じた場合でも、隙間覆い材によって、隙間を目立たなくすることができ、それにより、鍵盤楽器の外観を向上させることができる。また、従来のスタンドに、単純な形状の隙間覆い材を付加するだけでよいので、単純かつ安価に構成することができる。
【発明を実施するための最良の形態】
【０００９】
以下、本発明の好ましい実施形態を、図面を参照しながら、詳細に説明する。図１は、本発明のスタンドを備えた電子ピアノを示している。同図に示すように、電子ピアノ１（鍵盤楽器）は、スタンド２と、スタンド２に載置された、鍵盤３や制御装置（図示せず）を有するピアノ本体４で構成されている。スタンド２およびピアノ本体４の表面には、例えば黒色の塗装が施されている。図２に示すように、スタンド２は、左右の妻土台５，５と、妻土台５，５の上面にそれぞれ取り付けられ、上下方向に延びる左右の側板６，６と、両側板６，６の下端部間に取り付けられたペダル土台７と、両側板６，６の後端部間に取り付けられた裏板８などで構成されている。各妻土台５の上部には、前後方向の中央部から後端部にわたって、上方および内方に開放する切欠９（図４参照）が形成されている。側板６は、妻土台５に載置された状態で、これに取り付けられており、その内側面が切欠９の内側面と面一になっている。
【００１０】
ペダル土台７は、左右方向に延びる水平な上板７ａと、上板７ａの前端および後端からそれぞれ下方に延びる前板７ｂおよび後板７ｃにより、断面コ字状に形成されている。前板７ｂの下端部の中央には、３つの切欠７ｄが左右方向に並ぶように形成されており、各切欠７ｄにはペダル１１が取り付けられている。このペダル土台７は、その左右の端部が妻土台５の切欠９の底面に載置されるとともに、前板７ｂが切欠９の前面に当接した状態で、取付具（図示せず）を介して、側板６，６に取り付けられている。
【００１１】
裏板８は、矩形の板材で構成され、その左右の下端部が、ペダル土台７の後板７ｃと妻土台５の切欠９の背面との間に上方から差し込まれた状態で、後板７ｃに後方からねじ止めされている。また、裏板８は、側板６の上端よりも若干下側まで延びており、左右の取付金具１２，１２（一方のみ図示）を介して、側板６，６に取り付けられている。各取付金具１２は、金属板を折り曲げ加工したものであり、Ｌ字状の断面を有し、一方の辺が側板６の内側面にねじ止めされており、他方の辺の前面に、裏板８の左右の端部がねじ止めされている。この状態では、本来的に、裏板８の端面が、側板６の内側面に突き当たるように設計されているが、裏板８の寸法誤差や取付誤差によって、両者の間に図３に示すような隙間Ｃが形成されることがある。このような隙間Ｃを目立たなくするために、側板６の内側面には、隙間覆い材１３が取り付けられている。
【００１２】
隙間覆い材１３は、例えば黒色に着色されたＭＤＦで構成されており、ＭＤＦを所定の幅（左右方向の長さ）Ｔ（例えば３ｍｍ）に細長く切断したものである。図３および図４に示すように、隙間覆い材１３は、側板６の内側面の裏板８のすぐ後ろ側の位置に、取付金具１２の下端からペダル土台７の後方にわたって、上下方向に延びるように配置され、両面テープ（図示せず）を介して取り付けられている。また、隙間覆い材１３と裏板８の間には、前後方向に２〜３ｍｍ程度の隙間が形成されている。
【００１３】
以上のように、この電子ピアノ１のスタンド２によれば、側板６の内側面の裏板８のすぐ後ろ側の位置に、所定の幅Ｔを有する隙間覆い材１３が、上下方向に延びるように取り付けられており、この隙間覆い材１３によって、側板６の内側面と裏板８の端面との間の隙間Ｃが後方から覆われる。このため、裏板８の寸法誤差や、スタンド２を組み立てる際の取付誤差などによって、上記のような隙間Ｃが生じた場合でも、隙間覆い材１３によって、隙間Ｃを覆うことができるので、隙間Ｃを目立たなくすることができる。したがって、電子ピアノ１の後ろ側が、白色などの明るい壁であったり、明るい空間であったりした場合でも、隙間Ｃが目立たず、それにより、電子ピアノ１の外観を向上させることができる。
【００１４】
また、隙間覆い材１３が、電子ピアノ１と同じ黒色に着色されているので、隙間Ｃがより目立たなくなることにより、上述した効果をよりよく得られるとともに、隙間覆い材１３自身が目立たなくなり、その結果、電子ピアノ１の外観をさらに向上させることができる。また、ＭＤＦで構成された板状の単純な隙間覆い材１３を付加するだけでよいので、単純かつ安価に構成することができる。
【００１５】
また、上述した電子ピアノ１は、購入したユーザが組み立てるようになっており、その組立は、例えば以下のようにして行われる。電子ピアノ１は、出荷時には、ピアノ本体４、妻土台５，５、側板６，６、ペダルユニットが取り付けられたペダル土台７、および裏板８に、互いに分離されている。各側板６には、取付金具１２および隙間覆い材１３が、前述したようにしてあらかじめ取り付けられている。この出荷状態からユーザが組み立てる場合には、まず、各側板６を妻土台５に載せ、妻土台５の下方からねじ止めする。次に、両側板６，６の下端部間に、取付具（図示せず）を介して、ペダル土台７を取り付ける。
【００１６】
次いで、裏板８を隙間覆い材１３の前面に沿ってスライドさせ、その下端部を、ペダル土台７の後板７ｃと妻土台５の切欠９の背面との間に差し込む。このように、裏板８を差し込む際に、上下方向に延びる左右の隙間覆い材１３，１３によって、裏板８をガイドするので、裏板８を、隙間覆い材１３，１３に沿わせるだけで、容易に差し込むことができる。また、裏板８と隙間覆い材１３の間に、前述したような隙間が形成されているので、この隙間の余裕により、裏板８の差し込みを、隙間覆い材１３が邪魔にならずに、スムーズに行うことができる。
【００１７】
次に、裏板８を、ペダル土台７の後板７ｃにねじ止めするとともに、各取付金具１２にねじ止めする。最後に、側板６，６に、ピアノ本体４を載せ、取付具（図示せず）を介して固定することにより、電子ピアノ１の組立が完了する。
【００１８】
なお、実施形態では、隙間覆い材１３がＭＤＦで構成されているが、これに限らず、他の木質材や合成樹脂で構成してもよい。また、隙間覆い材１３の幅Ｔは、隙間Ｃを目立たないように覆えるものであれば、任意である。また、実施形態は、本発明を電子ピアノに適用した例であるが、これに限らず、シンセサイザや電子オルガンなど、他の鍵盤楽器に適用してもよい。その他、本発明の趣旨の範囲内で、細部の構成を適宜、変更することが可能である。
【図面の簡単な説明】
【００１９】
【図１】本発明のスタンドを備えた電子ピアノを示す斜視図である。
【図２】スタンドの斜視図である。
【図３】スタンドの部分破断平面図である。
【図４】スタンドの側面図である。
【図５】従来の電子ピアノのスタンドの部分斜視図である。
【図６】他のスタンドを示す部分平面図である。
【図７】さらに他のスタンドを示す部分平面図である。
【符号の説明】
【００２０】
１  電子ピアノ（鍵盤楽器）
２  スタンド
６  側板
８  裏板
１３  隙間覆い材
Ｃ  隙間
【図１】
2006139082.tif 000003
【図２】
2006139082.tif 000004
【図３】
2006139082.tif 000005
【図４】
2006139082.tif 000006
【図５】
2006139082.tif 000007
【図６】
2006139082.tif 000008
【図７】
2006139082.tif 000009